(57)【要約】      （修正有）【課題】ストレッチテープを要することなく、各カップ体によって、バストの立体を保持できるカップ構造体を提供する。【解決手段】カップ構造体Ｘは、人体のバストを含む部位に着用される衣類に用いられ、柔軟性及び伸縮性の素材で一体形成した左右のカップ体１、２、及び身頃体３を備える。各カップ体１、２は、カップ周縁５を有し、カップ周縁５は、人体モデルのバストのバスト輪郭に沿う前中心周縁６、下部側周縁７及び腋側周縁８を有する。身頃体３は、各カップ体１、２のカップ周縁５に沿って、各カップ体１、２と一体にされる左右の側方身頃２１、２２、左右の下方身頃２３、２４及び前中心身頃２５を有する。各カップ体１、２は、人体モデルのバストの形状に沿う立体形状に形成される。【選択図】図１
0003224981.tif 000002
【実用新案登録請求の範囲】
【請求項１】
カップ周縁を有し、表側に膨出した立体形状に形成され、及び人体のバストが裏側から装着される左右のカップ体と、
身頃体と、を備え、
軟質性及び伸縮性の素材で前記各カップ体、及び前記身頃体を一体形成し、
人体のバストを含む部位に着用される衣類に用いられるカップ構造体であって、
前記カップ周縁は、
カップ体付衣類が着用された立位姿勢の人体を、三次元的に模した人体モデルにおいて、
人体モデルのバストの前中心側のバスト輪郭に沿う縁形状に形成された前中心側周縁と、
人体モデルのバストの下部側のバスト輪郭に沿う縁形状に形成された下部側周縁と、
人体モデルのバストの腋側のバスト輪郭に沿って、当該腋側のバスト輪郭端まで延在する縁形状に形成された腋側周縁と、を有し、
前記身頃体は、
前記各カップ体の腋側周縁に沿って、前記各カップ体と一体にされた左右の側方身頃と、
前記各カップ体の下部側周縁に沿って、前記各カップ体と一体にされた左右の下方身頃と、
前記各カップ体の間に配置され、前記各カップ体の前中心側周縁に沿って、前記各カップ体と一体にされた前中心身頃と、を有し、
前記各カップ体は、
前記カップ周縁に沿って表側に膨出され、人体モデルのバストの形状に沿う立体形状に形成される
ことを特徴とするカップ構造体。
【請求項２】
カップ周縁を有し、表側に膨出した立体形状に形成され、及び人体のバストが裏側から装着される左右のカップ体と、
身頃体と、を備え、
軟質性及び伸縮性の素材で前記各カップ体、及び前記身頃体を一体に形成し、
人体のバストを含む部位に着用される衣類に用いられるカップ構造体であって、
前記カップ周縁は、
カップ体付衣類が着用された立位姿勢の人体を、三次元的に模した人体モデルにおいて、
人体モデルのバストの前中心側のバスト輪郭に基づき形成された前中心側周縁と、
人体モデルのバストの下部側のバスト輪郭に基づき形成された下部側周縁と、
人体モデルのバストの腋側のバスト輪郭に基づき形成された腋側周縁と、を有し、
前記身頃体は、
前記各カップ体の腋側周縁に沿って、前記各カップ体と一体にされた左右の側方身頃と、
前記各カップ体の下部側周縁に沿って、前記各カップ体と一体にされた左右の下方身頃と、
前記各カップ体の間に配置され、前記各カップ体の前中心側周縁に沿って、前記各カップ体と一体にされた前中心身頃と、を有し、
前記各カップ体は、
前記カップ周縁に沿って表側に膨出され、人体モデルのバストの形状に基づき立体形状に形成され、
人体の着用時において、人体のバストの腋側を前中心側に押して、当該バストの腋側を立体に保持する
ことを特徴とするカップ構造体。
【請求項３】
前記腋側周縁は、
腋側周縁端を、人体モデルのバストの腋側のバスト輪郭端に隙間を隔てて、人体モデルのバストトップ及び腋側のバストのバスト輪郭の間の腋側のバスト輪郭側に位置して形成される
ことを特徴とする請求項１に記載のカップ構造体。
【請求項４】
前記身頃体は、
前記各側方身頃の一部が表側に膨らんで形成された左右の膨出部を有し、
前記各側方身頃は、
人体の着用時において、
前記膨出部、及び前記膨出部を除く部分が、人体の各腋下に密着される
ことを特徴とする請求項１乃至請求項３の何れかに記載のカップ構造体。
【請求項５】
前記各下方身頃は、
表側に膨出され、人体の各バストの下方の肋骨を含む部位に対応する、人体モデルの各バストの下方の形状に沿う湾曲形状に形成され、
前記前中心身頃は、
前記各下方身頃の湾曲形状に連続され、及び人体の各バスト間の胸骨を含む部位に対応する、人体モデルの前中心を含む各バスト間の形状に沿う湾曲形状に形成される
ことを特徴とする請求項１乃至請求項４の何れかに記載のカップ構造体。
【請求項６】
前記前中心身頃は、
前記各カップ体の前記前中心側周縁に沿って、前記各カップ体と一体にされた左右の中心身頃部を有し、
前記各中心身頃部を相互に縫着して一体にした
ことを特徴とする請求項１乃至請求項５の何れかに記載のカップ構造体。
【考案の詳細な説明】
【技術分野】
【０００１】
本考案は、人体のバストを含む部位に着用される衣類に用いられるカップ構造体に関する。
【背景技術】
【０００２】
人体のバストの立体を保持する技術として、特許文献１は、ブラジャーを開示する。ブラジャーは、左右のカップ布、土台布、及びストレッチテープ等を備える。ストレッチテープは、各カップ布の下辺及び土台布の上辺の間に配置され、各カップ布の下辺及び土台布の上辺の全長にわたって縫着される。
特許文献１において、ブラジャーは、人体の装着時において、ストレッチテープによって、カップ布に装着されるバストを支持して、バストを立体的に保形する。
【先行技術文献】
【特許文献】
【０００３】
【特許文献１】特開２０１１−１２３６８号公報
【考案の概要】
【考案が解決しようとする課題】
【０００４】
特許文献１では、バストを立体的に保形するために、各カップ布及び土台布の間にストレッチテープを必要とする。
【０００５】
本考案は、ストレッチテープを要することなく、各カップ体によって、バストの立体を保持できるカップ構造体を提供することにある。
【課題を解決するための手段】
【０００６】
本考案に係る請求項１は、カップ周縁を有し、表側に膨出した立体形状に形成され、及び人体のバストが裏側から装着される左右のカップ体と、身頃体と、を備え、軟質性及び伸縮性の素材で前記各カップ体、及び前記身頃体を一体形成し、人体のバストを含む部位に着用される衣類に用いられるカップ構造体であって、前記カップ周縁は、カップ体付衣類が装着された立位姿勢の人体を、三次元的に模した人体モデルにおいて、人体モデルのバストの前中心側のバスト輪郭に沿う縁形状に形成された前中心側周縁と、人体モデルのバストの下部側のバスト輪郭に沿う縁形状に形成された下部側周縁と、人体モデルのバストの腋側のバスト輪郭に沿って、当該腋側のバスト輪郭端まで延在する縁形状に形成された腋側周縁と、を有し、前記身頃体は、前記各カップ体の腋側周縁に沿って、前記各カップ体と一体にされた左右の側方身頃と、前記各カップ体の下部側周縁に沿って、前記各カップ体と一体にされた左右の下方身頃と、前記各カップ体の間に配置され、前記各カップ体の前中心側周縁に沿って、各カップ体と一体にされた前中心身頃と、を有し、前記各カップ体は、前記カップ周縁に沿って表側に膨出され、人体モデルのバストの形状に沿う立体形状に形成されることを特徴とするカップ構造体である。
【０００７】
本考案に係る請求項１によれば、各カップ体のカップ周縁は、人体モデルのバストのバスト輪郭に沿う縁形状に形成し、及び各カップ体の形状は、人体モデルのバストの形状に沿う立体形状に形成することで、人体の着用時において、人体の各バストの腋側が腋下に流れることを抑制でき、バストの立体を保持（保形）できる。
これにより、カップ構造体は、ストレッチテープを要することなく、各カップ体によって、各バストを立体的に保形できる。
請求項１では、各カップ体は、前中心側周縁に沿って表側に膨出され、人体モデルのバストの前中心側の形状に沿う立体形状にした前中心側カップ部と、下部側周縁に沿って表側に膨出され、人体モデルのバストの下部側の形状に沿う三次元形状にした下部側カップ部と、腋側周縁に沿って表側に膨出され、人体モデルのバストの腋側の形状に沿う立体形状に形成した腋側カップ部を、有する構成も採用できる。
【０００８】
本考案に係る請求項２は、カップ周縁を有し、表側に膨出した立体形状に形成され、及び人体のバストが裏側から装着される左右のカップ体と、身頃体と、を備え、軟質性及び伸縮性の素材で前記各カップ体、及び前記身頃体を一体形成し、人体のバストを含む部位に着用される衣類に用いられるカップ構造体であって、前記カップ周縁は、カップ体衣類が着用された立位姿勢の人体を、三次元的に摸した人体モデルにおいて、人体モデルのバストの前中心側のバスト輪郭に基づき形成された前中心側周縁と、人体モデルのバストの下部側のバスト輪郭に基づき形成された下部側周縁と、人体モデルのバストの腋側のバスト輪郭に基づき形成された腋側周縁と、を有し、前記身頃体は、前記各カップ体の腋側周縁に沿って、前記各カップ体と一体にされた左右の側方身頃と、前記各カップ体の下部側周縁に沿って、前記各カップ体と一体にされた左右の下方身頃と、前記各カップ体の間に配置され、前記各カップ体の前中心側周縁に沿って、各カップ体と一体にされた前中心身頃と、を有し、前記各カップ体は、前記カップ周縁に沿って表側に膨出され、人体モデルのバストの形状に基づき立体形状に形成され、人体の着用時において、人体のバストの腋側を前中心側に押して、当該バストの腋側を立体に保持することを特徴とするカップ構造体である。
【０００９】
本考案に係る請求項２によれば、各カップ体のカップ周縁は、人体モデルのバストの輪郭線に基づき形成し、及び各カップ体の形状は、人体モデルのバストの形状に基づき立体形状に形成して、人体の着用時において、人体のバストの腋側を前中心側に押して、当該バストの腋側を立体に保持することで、人体の各バストの腋側が腋下に流れることを抑制でき、バストの立体を保持（保形）できる。
これにより、カップ構造体は、ストレッチテープを要することなく、各カップ体によって、各バストを立体的に保形できる。
【００１０】
本考案に係る請求項３は、前記腋側周縁は、腋側周縁端を、人体モデルのバストの腋側のバスト輪郭端に間隔を隔てて、人体モデルのバストトップ及び腋側のバスト輪郭の間のバスト輪郭側に位置して形成されることを特徴とする請求項１に記載のカップ構造体である。
【００１１】
本考案に係る請求項３によれば、各カップ体は、人体の着用時において、バストの腋側を前中心側に押して、バストの腋側を立体に保持（保形）する。
これにより、カップ構造体は、各カップ体によって、バストを立体的に保形できる。
【００１２】
本考案に係る請求項４は、前記身頃体は、前記各側方身頃の一部が表側に膨らんで形成された左右の膨出部を有し、前記各側方身頃は、人体の着用時において、前記膨出部、及び前記膨出部を除く部分が、人体の各腋下に密着されることを特徴とする請求項１乃至請求項３に記載のカップ構造体である。
【００１３】
本考案に係る請求項４によれば、各側方身頃は、人体の着用時において、人体の各腋下に密着されるので、各腋下及び側方身頃の間に隙間を生じることがない。
【００１４】
本考案に係る請求項５は、前記各下部身頃は、表側に膨出され、人体のバストの下方の肋骨を含む部位に対応する、人体モデルの各バストの下方の形状に沿う湾曲形状に形成され、前記前中心身頃は、前記各下方身頃の湾曲形状に連続され、及び人体の各バスト間の胸骨を含む部位に対応する、人体モデルの前中心を含む各バストの間の形状に沿う湾曲形状に形成されることを特徴とする請求項１乃至請求項４の何れかに記載のカップ構造体である。
【００１５】
本考案に係る請求項５によれば、各下方身頃は、人体の着用時において、人体の各バストの下方の肋骨を含む部位の形状に沿って密着され、及び前中心身頃は、人体の着用時において、人体の前中心を含む各バストの部位の形状に沿って密着されることから、各下方身頃及び前中心身頃及び人体の間に隙間を生じない。
【００１６】
本考案に係る請求項６は、前記前中心身頃は、前記各カップ体の前記前中心側周縁に沿って、前記各カップ体と一体にされた左右の中心身頃部を有し、前記各中心身頃部を相互に縫着して一体にしたことを特徴とする請求項１乃至請求項５の何れかに記載のカップ構造体である。
【考案の効果】
【００１７】
本考案は、各カップ体によって、バストの腋側が各腋側に流れることを防止でき、バストを立体的に保形できる。
【図面の簡単な説明】
【００１８】
【図１】カップ構造体を示す正面図（表側面図）である。
【図２】カップ構造体を示す背面図（裏側面図）である。
【図３】カップ構造体を示す側面図（右側面図）である。
【図４】カップ構造体を示す底面図（下面図）である。
【図５】図１のＡ−Ａ断面拡大図である。
【図６】図１のＢ−Ｂ断面拡大図であって、膨出部（各側方身頃の一部）を示す図である。
【図７】カップ体と側方身頃の関係を示す正面図（表側面図）である。
【図８】人体モデルを示す正面図（表側面図）である。
【図９】人体モデルを示す側面図（右側面図）である。
【図１０】人体（女性）を示す正面図（表側面図）である。
【図１１】カップ構造体を用いたブラジャー（衣類）を示す斜視図である。
【図１２】カップ構造体を用いたブラジャー（衣類）を人体（女性の体）に着用した正面図（表側面図）である。
【図１３】カップ構造体を用いたブラジャー（衣類）を人体（女性の体）に着用した側面図（右側面図）である。
【図１４】カップ構造体を用いたブラジャー（衣類）を着用する前と、カップ構造体を用いたブラジャーの着用時において、人体（女性）のバストの状態を示す上面図である。
【図１５】カップ構造体の各カップ構造部を示す正面図（表側面図）である。
【図１６】カップ構造体において、各カップ構造部を縫着（縫製）して一体にした正面図（表側面図）である。
【考案を実施するための形態】
【００１９】
以下、本考案に係るカップ構造体（バスト構造体）について、図１乃至図１６を参照して説明する。
【００２０】
図１１乃至図１３において、カップ構造体Ｘ（バスト構造体）は、人体ＢＯのバストＢ（左右のバストＢ）を含む部位に着用される衣類Ｙ（例えば、ブラジャー）に用いられる。
人体ＢＯは、図１０に示すように、身体であって、衣類Ｙ（カップ構造体Ｙ）を着用する女性の体ＢＯ（着用者の身体又は人体）である（以下、同様）。バストＢは、人体ＢＯの乳房であって、女性の体の乳房である。
【００２１】
カップ構造体Ｘは、図１乃至図７に示すように、左右のカップ体１，２、及び身頃体３を備える。
カップ構造体Ｘは、柔軟性及び伸縮性の素材で、各カップ体１，２及び身頃体３を一体形成（一体成形）して構成される。
【００２２】
カップ構造体Ｘは、図１乃至図５に示すように、例えば、表布１１、第１クッション材１２、第２クッション材１３及び肌布１４（裏布）の４層構造で構成される。
表布１１及び肌布１４は、柔軟性及び伸縮性を有する生地であって、例えば、ニット生地、トリコット生地（ツーウェイ・トリコット生地）で構成（形成）される。第１クッション材１２は、軟質性及び伸縮性の素材の軟質ポリウレタンフォーム（軟質発泡ウレタン）であって、例えば、エーテル系軟質ポリウレタンで構成（形成）される。第２クッション材１３は、軟質性及び伸縮性の軟質ポリウレタンフォーム（軟質発泡ウレタン）であって、例えば、エーテル系軟質ポリウレタンで構成（形成）される。第２クッション材１３は、第1クッション材１２に比して、高い柔軟性及び高い伸縮性を有し、体温にて人体ＢＯ（バストＢ）に馴染む素材である。第２クッション材１３の厚さは、第１クッション材１２の厚さより厚くしても良く、第１クッション材１２の厚さと同じ厚さにしても良く、第１クッション材１２の厚さより薄くしても良い。
【００２３】
カップ構造体Ｘは、肌布１４に第２クッション材１３を積層し、第２クッション材１３に第１クッション材１２を積層し、及び第１クッション材１２に表布１１を積層して一体に形成（成形）された４層構造である。カップ構造体Ｘは、表布１１及び肌布１４の間に、第１クッション材１２及び第２クッション材１３を配置し、表布１１に接触して第１クッション材１２（第１クッション層）を位置し、及び肌布１４に接触して第２クッション材１３（第２クッション層）を位置した構造である。
【００２４】
各カップ体１，２は、図８及び図９に示すように、カップ周縁５を有し、人体モデルＺに基づいて、カップ周縁５の縁形状、及び立体形状が形成される。
【００２５】
人体モデルＺは、図８及び図９に示すように、既存のカップ体付衣類であって、ブラジャー（既存のブラジャー）が着用された立位姿勢の人体ＢＯを、三次元的に摸したモデルである。
人体モデルＺにおいて、同一カップサイズ（例えば、Ｄカップ）の複数人［例えば、日本工業規格（ＪＩＳ規格）に基づいた女性モデル：１０人］の女性にブラジャー（女性のカップサイズのブラジャー）を着用して、立位姿勢の各女性の全身を３Ｄカメラ（三次元カメラ）にて撮影した。同一カップサイズは、日本工業規格「ＪＩＳ  Ｌ  ４００６（１９８９）」に定める基準である。３Ｄカメラによる撮影は、既存のブラジャー（既存のカップ体付衣類）を着用した立位姿勢の各女性の全身を三次元的に撮影した。人体モデルＺは、立位姿勢の各女性の全身の撮影データ（撮影結果）について、数値解析して三次元的に摸したものである。人体モデルＺは、各女性の数値解析データの中央値を三次元化したものである。
人体モデルＺは、図８及び図９に示すように、女性の体の背中ＤＭを含む、頭部及び腹部の間を三次元的に摸した。人体モデルＺは、立位姿勢であって、左右のバストＢＭ、左右の腋ＷＭ、各バストＢＭのバスト輪郭ＢＰ、及び各バストＢＭの下方（腹部側）を含む立体形状に形成される。
バスト輪郭ＢＰは、人体モデルＺのバストＢＭと、人体モデルＺの体（各腋ＷＭ、前中心及び各バストＢＭの下方）との境界を示す輪郭線（バスト輪郭線）、外輪郭線（バスト外輪郭線）である（以下、同様）。  
【００２６】
各カップ体１，２は、図５及び図６に示すように、表布１１、カップ芯材１５及び肌布１４の積層体であって、カップ芯材１５は、第１及び第２クッション材１２，１３で構成される。各カップ体１，２は、表布１１側（表側）に膨出して立体形状（椀状）に形成される。各カップ体１，２は、図１乃至図５に示すように、表側（表布１１側）に膨出されて、湾曲凸表面１６及び湾曲凹肌面１７を有する。各カップ体１，２において、カップ芯材１５は、第２クッション材１３を湾曲凹肌面１７側（肌布１４）に隣接して、表布１１及び肌布１４の間に配置される。
各カップ体１，２は、人体ＢＯのバストＢ（左右のバスト）が裏側（湾曲凹肌面１７側／肌布１４側）から装着される。
【００２７】
各カップ体１，２において、カップ周縁５は、図８及び図９に示すように、人体モデルＺのバストＢＭのバスト輪郭ＢＰに沿う縁形状（曲線縁／曲線形状）に形成される。
各カップ体１，２のカップ周縁５は、図１乃至図５に示すように、前中心側周縁６、下部側周縁７、腋側周縁８、前中心側上周縁９及び腋側上周縁１０を有する。
【００２８】
カップ周縁５において、前中心側周縁６は、図８に示すように、人体モデルＺのバストＢＭの前中心側のバスト輪郭ＢＰ１に沿う縁形状に形成される。
前中心側周縁６は、人体モデルＺの立位姿勢での左右方向ＬＲにおいて、左右のバストＢＭの前中心側のバスト輪郭ＢＰ１（前中心側輪郭／前中心側輪郭線）に沿う湾曲縁形状に形成される。
左右方向ＬＲは、図８及び図９に示すように、人体モデルＺの立位姿勢において、人体モデルＺの右腋方向を右方（右方向）とし、及び人体モデルＺの左腋方向を左方（左方向）とする（以下、同様）。
【００２９】
カップ周縁５において、下部側周縁７は、図８及び図９に示すように、人体モデルＺのバストＢＭの下部側のバスト輪郭ＢＰ２に沿う縁形状（曲線縁／曲線縁形状）に形成される。下部側周縁７は、人体モデルＺの立位姿勢での上下方向ＵＤにおいて、左右のバストＢＭの下部側のバスト輪郭ＢＰ２（下部側輪郭／下部側輪郭線）に沿った湾曲縁形状に形成される。下部側周縁７は、前中心側周縁６のバスト下部側の周縁端に連続して形成される。
上下方向ＵＤは、図８及び図９に示すように、人体モデルＺの立位姿勢において、左右方向ＬＦと直交し、人体モデルＺの頭部方向を上方（上方向）とし、及び人体モデルＺの腹部方向を下方（下方向）とする（以下、同様）。
【００３０】
カップ周縁５において、腋側周縁８は、図８及び図９に示すように、人体モデルＺのバストＢＭの腋側のバスト輪郭ＢＰ３に沿って、腋側のバスト輪郭ＢＰ３の輪郭端ＢＥ（バスト輪郭端）まで延在する縁形状（曲線縁／曲線縁形状）に形成される。腋側周縁８は、人体モデルＺの立位姿勢での左右方向ＬＲにおいて、左右のバストＢＭの腋側のバスト輪郭ＢＰ３（腋側輪郭／腋側輪郭線）に沿って、腋側のバスト輪郭ＢＰ３の輪郭端ＢＥまで延在する湾曲縁形状に形成される。腋側周縁８は、下部側周縁７のバスト腋側の周縁端に連続して形成される。
【００３１】
カップ周縁５において、前中心側上周縁９は、図１及び図２に示すように、前中心側周縁６のバストＢの前中心側の周縁端に連続して形成される。前中心側上周縁９は、下部側周縁７に対峙して、カップトップａから離間する方向に突出する湾曲凸形状に形成される。
【００３２】
カップ周縁５において、腋側上周縁１０は、図１乃至図３、及び図５に示すように、腋側周縁８のバストＢの腋側の周縁端に連続して形成される。腋側上周縁１０は、前中心側周縁６に対峙して、カップトップａに向けて凹む湾曲凹形状に形成される。
【００３３】
身頃体３は、図１乃至図６に示すように、柔軟性及び伸縮性の素材で各カップ体１，２と一体形成（一体成形）される。身頃体３は、図５及び図６に示すように、各カップ体１，２と同様に、表布１１、第１クッション材１２、第２クッション材１３及び肌布１４を積層した構造（４層構造）である。
【００３４】
身頃体３は、図１乃至図６に示すように、左右の側方身頃２１，２２、左右の下方身頃２３，２４及び前中心身頃２５を有する。各側方身頃２１，２２、各下方身頃２３，２４及び前中心身頃２５は、軟質性及び伸縮性の素材（表布１１、第１及び第２クッション材１２，１３及び肌布１４）で連続して一体形成（一体成形）される。
身頃体３（各側方身頃２１，２２、各下方身頃２３，２４及び前中心身頃２５）の厚さは、各カップ体１，２の厚さと同じ厚さにしても良く、各カップ体１，２の厚さより薄くしても良い。
【００３５】
各側方身頃２１，２２は、図１乃至図３に示すように、各カップ体１，２の腋側周縁８側に配置される。各側方身頃２１，２２は、各カップ体１，２の腋側周縁８に接触（隣接）して配置され、腋側周縁８に沿って各カップ体１，２と一体にされる。
一方（左側）の側方身頃２１は、一方（左側）のカップ体１の腋側周縁８側に配置（腋側周縁８に隣接して配置）され、腋側周縁８に沿って一方（左側）のカップ体１と一体にされる。他方（右側）の側方身頃２２は、他方（右側）のカップ体２の腋側周縁８側に配置（腋側周縁８に隣接して配置）され、腋側周縁８に沿って他方（左側）のカップ体２と一体にされる。各側方身頃２１，２２の上周縁２１Ａ，２２Ａは、各カップ体１，２の腋側上周縁１０に連続する湾曲凹縁形状に形成される。
【００３６】
各下方身頃２３，２４は、図１乃至図５に示すように、各カップ体１，２の下部側周縁７側に配置される。各下方身頃２３，２４は、各カップ体１，２の下部側周縁７に接触（隣接）して配置され、下部側周縁７に沿って各カップ体１，２と一体にされる。
一方（左側）の下方身頃２３は、一方のカップ体１の下部側周縁７側に配置（下部側周縁７に隣接して配置）され、下部側周縁７に沿って一方のカップ体１と一体にされる。他方（右側）の下方身頃２４は、他方のカップ体２の下部側周縁７側に配置（下部側周縁７に隣接して配置）され、下部側周縁７に沿って他方のカップ体２と一体にされる。
各下方身頃２３，２４は、図１及び図２に示すように、各側方身頃２１，２２に連続して一体形成（一体成形）される。
【００３７】
前中心身頃２５は、図１、図２及び図４に示すように、各カップ体１，２の間に配置されて、各カップ体１，２を連結する。前中心身頃２５は、各カップ体１，２の前中心側周縁６に接触（隣接）して配置される。前中心身頃２５は、各カップ体１，２の前中心側周縁６に沿って各カップ体１，２と一体にされる。
前中心身頃２５は、各下方身頃２３，２４と連続して一体成形（一体形成）形成される。
前中心身頃２５の下周縁２５Ａは、各下方身頃２３，２４の下周縁２３Ａ，２４Ａに連続する。
【００３８】
各カップ体１，２は、図１乃至図５に示すように、前中心側カップ部３１、下部側カップ部３２、腋側カップ部３３、及び紐付け用カップ部３４を有する。各カップ部３１〜３４は、連続して一体形成（一体成形）される。
各カップ体１，２は、カップ周縁５（前中心側周縁６、下部側周縁７及び腋側周縁８）に沿って表側に膨出され、人体モデルＺのバストＢＭの形状に沿う立体形状に形成される。
【００３９】
各カップ体１，２において、前中心側カップ部３１は、図１、図２及び図４に示すように、前中心側周縁６に沿って表側に膨出される。前中心側カップ部３１は、図８及び図９に示すように、人体モデルＺのバストＢＭの前中心側ＢＭ１の形状に沿う立体形状に形成される。
各カップ体１，２において、前中心側カップ部３１は、前中心側周縁６から表側に膨出しつつカップトップａに至る。
【００４０】
各カップ体１，２において、下部側カップ部３２は、図１乃至図５に示すように、下部側周縁７に沿って表側に膨出される。下部側カップ部３２は、図８及び図９に示すように、人体モデルＺのバストＢＭの下部側ＢＭ２の形状に沿う立体形状に形成される。
各カップ体１，２において、下部側カップ部３２は、下部側周縁７から表側に膨出しつつカップトップａに至る。
【００４１】
各カップ体１，２において、腋側カップ部３３は、図１乃至図５に示すように、腋側周縁８に沿って表側に膨出される。腋側カップ部３３は、図８及び図９に示すように、人体モデルＺのバストＢＭの腋側ＢＭ３の形状に沿う立体形状に形成される。
各カップ体１，２において、腋側カップ部３３は、腋側周縁８から表側に膨出しつつカップトップａに至る。
【００４２】
各カップ体１，２において、紐付け用カップ部３４は、図１乃至図３、及び図５に示すように、前中心側上周縁９及び腋側上周縁１０の間に形成される。紐付け用カップ部３４は、各カップ体１，２のカップトップａより各側方身頃２１，２２側（腋側周縁８側）に配置される。
紐付け用カップ部３４は、前中心側上周縁９及び腋側上周縁１０の間において、表側に膨出される。紐付け用カップ部３４は、図８及び図９に示すように、人体モデルＺのバストＢＭの上部側ＢＭ４の形状に沿う立体形状に形成される。
【００４３】
身頃体３（各側方身頃２１，２２）は、図１乃至図６に示すように、各側方身頃２１，２２の一部が表側に膨らんで形成された膨出部３６を有する。
各膨出部３６は、例えば、各カップ体１，２の腋側周縁８（カップ周縁５）に隣接し、又は腋側周縁８側（カップ周縁５側）に位置する各側方身頃２１，２２の一部に形成される。各膨出部３６は、各側方身頃２１，２２の一部を、表側に膨らませて形成される。
【００４４】
図７において、各膨出部３６は、各カップ体１，２の腋側周縁８、腋側カップ部３３の立体形状、及び各カップ体１，２の腋側上周縁１０に基づいて、各側方身頃２１，２２の一部に形成される。
各側方身頃２１，２２は、各カップ体１，２及び身頃体３を柔軟性及び伸縮性の素材で一体成形（一体形成）すること、各腋側周縁８を、人体モデルＺのバストＢＭの腋側のバスト輪郭ＢＬ３に沿って、腋側のバスト輪郭端ＢＥまで延在する縁形状にすること、腋側カップ部３３を、人体モデルＺのバストＢＭの腋側の形状に沿う立体形状にすることに加え、各カップ体１，２の腋側上周縁１０の湾曲凹形状に起因して（基づいて）、各カップ体１，２側に引張られる引張力Ｆを受ける。
これにより、各カップ体１，２の腋側周縁８に隣接する各側方身頃２１，２２の一部が、引張力Ｆによって、表側に膨らんで膨出部３６を形成する。各カップ体１，２において、特に、腋側カップ部３３は、腋側カップ部３３の立体形状、腋側周縁８の縁形状、及び腋側上周縁１０の湾曲凹縁形状によって、軟質性及び伸縮性の素材（軟質ポリウレタン）による引張力Ｆを各側方身頃２１，２２に作用して、各側方身頃２１，２２の一部を表側に膨らませる。腋側カップ部３３による引張力Ｆは、例えば、各カップ体１，２の腋側上周縁１０を配置する位置を、カップトップａ側に近づけるに従って大きくなり、各側方身頃２１，２２の一部に形成される膨出部３６も大きくなる。
図７において、従来から使用されるカップ体ＣＰを二点鎖線で示しており、各カップ体１，２の腋側周縁８は、従来のカップ体ＣＰの腋側周縁ＣＰ８よりカップトップａ（内側）に位置しており、これにより、各側方身頃２１，２２の一部が表側に膨らむ。
【００４５】
身頃体３において、各下方身頃２３，２４は、図１０に示すように、人体ＢＯの立位姿勢での上下方向ＵＤにおいて、バストＢの下部側より下方（腹部側）の肋骨ＲＢを含む部位に対応する、人体モデルＺの各バストＢＭの下方（腹部側）の形状に沿う湾曲形状に形成される（図８及び図９参照）。
【００４６】
身頃体３において、前中心身頃２５は、図１０に示すように、人体ＢＯの立位姿勢（人体の立位姿勢）での左右方向ＬＲにおいて、人体ＢＯの各バスト間の胸骨ＣＢ（又は／及び椎骨ＳＢ）を含む部位に対応する、人体モデルＺの前中心を含む各バストＢＭ間の形状に沿う湾曲形状に形成される（図８参照）。前中心身頃２５の湾曲形状は、各下方身頃２３,２４の湾曲形状に連続して形成される。
【００４７】
カップ構造体Ｘは、図１１乃至図１３に示すように、バストＢを含む部位に着用される衣類Ｙ、例えば、ブラジャー（以下、「ブラジャーＹ」という）に用いられる。
【００４８】
ブラジャーＹは、図１１乃至図１３に示すように、カップ構造体Ｘ、バック布５１、及び一対（左右）の肩掛け用ストラップ５２，５３を備える。
【００４９】
バック布５１は、柔軟性及び伸縮性を有する生地であって、例えば、ニット生地、トリコット生地（ツーウェイ・トリコット生地）、パワーネットである。
バック布５１は、図１１乃至図１３に示すように、カップ構造体Ｘの身頃体３（各側方身頃２１，２２）に取付けられる。バック布５１の一端側は、一方の側方身頃２１の左端側に縫着（縫製）されて取付けられ、バック布５１の他端側は、他方の側方身頃２２の右端泡に縫着（縫製）されて取付けられる。
【００５０】
各肩掛け用ストラップ５２，５３は、図１１乃至図１３に示すように、各カップ体１，２及びバック布５１に取付けられる。
一方（左側）の肩掛け用ストラップ５２は、一方のカップ体１及びバック布５１に取付られる。肩掛け用ストラップ５２の一端側は、カップ体１の紐掛け用カップ部３４に縫着（縫製）されて取付けられ、肩掛け用ストラップ５２の他端側は、バック布５１に縫着（縫製）されて取付けられる。
他方（右側）の肩掛け用ストラップ５３は、他方のカップ体２及びバック布５１に取付けられる。肩掛け用ストラップ５３の一端側は、カップ体２の紐付け用カップ部３４に縫着（縫製）されて取付けられ、肩掛け用ストラップ５３の他端側は、バック布５１に縫着（縫製）されて取付けられる。
【００５１】
カップ構造体Ｘを用いたブラジャーＹは、同一カップサイズの女性の人体ＢＯに着用される。
女性の体ＢＯ（人体ＢＯ）の上下方向ＵＤは、図１０に示すように、女性の体ＢＯ（人体ＢＯ）の立位姿勢において、女性の体ＢＯの頭部方向を上方（上方向）とし、及び女性の体ＢＯの腹部方向を下方（下方向）とする。
女性の体ＢＯ（人体ＢＯ）の左右方向ＬＲは、図１０に示すように、女性の体ＢＯ（人体ＢＯ）の立位姿勢において、女性の体ＢＯの右腋方向を右方（右方向）とし、及び女性の体ＢＯの左脇方向を左方（左方向）とする。
【００５２】
ブラジャーＹは、図１２及び図１３に示すように、女性の体ＢＯ（人体ＢＯ）を、カップ構造体Ｘの各カップ体１，２及びバック布５１の間に配置し、及び女性の体ＢＯの左右のバストＢを各カップ体１，２の裏側（湾曲凹肌面１７）に向けて着用される。
ブラジャーＸを着用するとき、女性は、各バストＢを女性の体ＢＯの前中心側に寄せて、各カップ体１，２に装着（挿入）し、及び各肩掛け用ストラップ５２，５３を女性の体ＢＯの肩ＳＤに掛ける。
【００５３】
ブラジャーＹを女性の体ＢＯに着用すると、各側方身頃２１，２２及びバック布５１は、女性の体ＢＯの背中ＳＤ側に引っ張られ、及び各肩掛け用ストラップ５２，５３は、女性の体ＢＯの肩ＳＤ側に引っ張れる。
これにより、カップ構造体Ｘの身頃体３（各側方身頃２１，２２、各下方身頃２３，２４及び前中心身頃２５）は、女性の体ＢＯ（人体ＢＯ）の背中ＤＭ側及び肩ＳＤ側に伸ばされる。
各側方身頃２１，２２は、女性の体ＢＯ（人体ＢＯ）の着用時において、伸ばされることにより、各膨出部３６も伸ばされ、各膨出部３６及び各膨出部３６を除く部分が、女性の体ＢＯの各腋ＷＤ下に沿って女性の体ＢＯに密着される。
【００５４】
各下方身頃２３，２４は、図１０、図１２及び図１３に示すように、女性の体ＢＯ（人体ＢＯ）の着用時において、伸ばされることにより、女性の体ＢＯの各バストＢの下方の肋骨ＲＢを含む部位の形状に沿って人体ＢＯに密着され、前中心身頃２５は、女性の体ＢＯ（人体ＢＯ）の着用時において、各側方身頃２１，２２と共に伸ばされ、女性の体ＢＯの前中心（胸骨ＣＢ、椎骨ＳＢ）を含む各バストＢの間の部位の形状に沿って女性の体ＢＯに密着される。
【００５５】
各カップ体１，２は、図１０、図１２及び図１３に示すように、女性の人体ＢＯ（人体ＢＯ）の着用時において、各肩掛け用ストラップ５２，５３によって女性の体ＢＯの肩ＳＤ側に引っ張られ（引き上げられ）、及び女性の体ＢＯの背中ＷＤに引っ張られる身頃体３（各側方身頃２１，２２）に抗して、女性の各バストＢの形状、及び各バストＢのバスト輪郭ＢＬに沿って配置される。
女性の体ＢＯ（人体ＢＯ）のバストＢのバスト輪郭ＢＬは、各バストＢと、女性の体ＢＯ（各腋ＷＯ、前中心及び各バストＢの下方）との境界を示す輪郭線（バスト輪郭線）、外輪郭線（バスト外輪郭線）である。
【００５６】
各カップ体１，２において、前中心側周縁６は、女性の体ＢＯバストＢの前中心側のバスト輪郭ＢＬ１に沿って、下部側周縁７は、女性の体ＢＯのバストＢの下部側のバスト輪郭ＢＬ２に沿って、及び腋側周縁８は、女性のバストＢの体ＢＯの腋側のバスト輪郭ＢＬ３に沿って配置される。腋側周縁８は、女性の体ＢＯのバストＢの腋側のバスト輪郭ＢＬ３に沿って、女性の体ＢＯのバストＢの腋側のバスト輪郭端ＢＦまで延在して配置される。
これにより、各カップ体１，２は、図１４に示すように、腋側カップ部３３によって、女性の体ＢＯ（人体ＢＯ）のバストＢ（図１４の二点鎖線で示すバストＢ）の腋側を保持して、女性の体ＢＯのバストＢの腋側が腋ＷＯ下に流れることを抑制する。
各カップ体１，２は、各カップ部３１〜３４によって、女性の体ＢＯ（人体ＢＯ）のバストＢを立体に保持（保形）する。
立位姿勢の女性の体ＢＯ（人体ＢＯ）において、ブラジャーＹの着用前のバストＢは、図１４に示すように、実線で示され、ブラジャーＹ１の着用時のバストＢは、図１４に示すように、二点鎖線で示される（以下、同様）。
【００５７】
カップ構造体Ｘは、図８及び図９に示すように、各カップ体１，２の腋側周縁８の腋側周縁端８Ａを、人体モデルＺのバストＢＭの腋側のバスト輪郭ＢＬ３に隙間δ（間隔）を隔てて、人体モデルＺのバストトップＢａ及び腋側のバスト輪郭ＢＬ３の間に位置して形成することもできる。
各カップ体１，２において、腋側周縁８の腋側周縁端８Ａは、人体モデルＺのバストＢの腋側のバスト輪郭ＢＰ３側に位置される。各カップ体１，２の腋側周縁８（腋側周縁端８Ａ）は、腋側上周縁１０に交差して配置される。
カップ構造体Ｘにおいて、各カップ体１，２の腋側周縁８、及び腋側カップ部３３は、人体モデルＺのバストＢの腋側のバスト輪郭ＢＬ３より前中心側に配置される。
これにより、カップ構造体Ｘを用いたブラジャーＹ１（衣類）は、図１１乃至図１３で説明したと同様に、女性の体ＢＯ（人体ＢＯ）に着用すると、女性の体ＢＯの各バストＢによって伸ばされて広げられる。各カップ体１，２は、広がりによる反発力によって、女性の体ＢＯのバストＢの腋側を前中心側に押して、バストＢの腋側を立体に保持（保形）する。
女性の体ＢＯ（人体ＢＯ）のバストＢの腋側は、図１４に示すように、女性の体ＢＯ（人体ＢＯ）の着用時において、各カップ体１，２によって前中心側に寄せられ、リフトアップされて、立体に保持（保形）される（図１４の二点鎖線で示されるバストＢの腋側）。女性の体ＢＯのバストＢの腋側は、図１４に示すように、各カップ体１，２によって各腋ＷＯ側に流れることを抑制される。
各カップ体１，２は、各カップ部３１〜３４によって、女性の体ＢＯの各バストＢの立体を保持（保形）する。
【００５８】
カップ構造体Ｘにおいて、各カップ体１，２は、図８及び図９に示すように、人体モデルＺに基づき、即ち、人体モデルＺを基準として、既存のカップ体（カップパターン）を参考（カップパターンにて調整）して、カップ周縁５の縁形状及び立体形状を形成することもできる。各カップ体１，２において、カップ周縁５の縁形状、及び立体形状は、人体モデルＺ及び既存のカップ体（カップパターン）に基づき形成される。
既存のカップ体は、同一カップサイズの女性の体のバストに装着されるカップパターンである。既存のカップ体は、ブラジャーに用いられ、ブラジャーを女性の体に着用した時において、バストへの着用感（密着感）の優れたカップパターン、又はバストへの着用感（密着感）の良かったカップパターンを選択した。
【００５９】
各カップ体１，２は、人体モデルＺのバストＢのバスト輪郭ＢＰに基づき、既存のカップ体（カップパターン）のカップ周縁を参考して、カップ周縁５の縁形状を形成する。各カップ体１，２は、人体モデルＺのバストＢの形状に基づき、既存のカップ体の形状（立体形状）を参考して、立体形状を形成する。
【００６０】
各カップ体１，２において、カップ周縁５は、人体モデルＺのバストＢＭの前中心側のバスト輪郭ＢＰ１に基づき、既存のカップ体のカップ周縁（前中心側周縁）を参考して、縁形状に形成された前中心側周縁６と、人体モデルＺのバストＢＭの下部側のバスト輪郭ＢＬ２に基づき、既存のカップ体のカップ周縁（下部側周縁）を参考して、縁形状に形成された下部側周縁と、人体モデルＺのバストＢＭの腋側のバスト輪郭ＢＬ３に基づき、既存のカップ体のカップ周腋（腋側周縁）を参考して、縁形状に形成された腋側周縁とを有する。
【００６１】
各カップ体１，２は、人体モデルＺのバストＢＭの形状に基づき、既存のカップ体の形状（立体形状）を参考して、立体形状に形成される。
各カップ体１，２は、人体モデルＺのバストＢＭの前中心側の形状に基づき、既存のカップ体の形状（前中心側のカップ形状）を参考して、立体形状に形成された前中心側カップ部と、体モデルＺのバストＢＭの下部側の形状に基づき、既存のカップ体の形状（下部側のカップ形状）を参考して、立体形状に形成された下部側カップ部と、人体モデルＺのバストＢＭの腋側の形状に基づき、既存のカップ体の形状（腋側のカップ形状）を参考して、立体形状に形成された腋側カップ部とを有する。
【００６２】
各カップ体１，２は、図１１乃至図１３で説明したと同様に、カップ構造体Ｘを用いたブラジャーＹ２を女性の体ＢＯ（人体ＢＯ）の着用時において、女性の体ＢＯ（人体ＢＯ）のバストＢの腋側を前中心側に押して、バストＢの腋側を立体に保持（保形）する（図１４の二点鎖線で示すバストＢの腋側）。
各カップ体１，２は、人体モデルＺに基づき、既存のカップ体（カップパターン）を参考して、ブラジャーＹ２（衣類）の女性の体ＢＯ（人体ＢＯ）の着用時において、図１４に示すように、女性の体ＢＯの腋側を前中心側に押して、バストＢの腋側を立体に保持するように、カップ周縁５（前中心側周縁６、下部側周縁７及び腋側周縁８）、及び立体形状（前中心側カップ部３１の立体形状、下部側カップ部３２の立体形状および腋側カップ部３３の立体形状）を形成する。
これにより、女性の体ＢＯ（人体ＢＯ）のバストＢの腋側は、女性の体ＢＯ（人体ＢＯ）の着用時において、図１４に示すように、各カップ体１，２によって前中心側に寄せられて、立体に保持（保形）される。女性の体ＢＯのバストＢの腋側（図１４の二点鎖線で示すバストＢの腋側）は、各カップ体１，２によって各腋ＷＯ側に流れることを抑制される。
各カップ体１，２は、各カップ部３１〜３４によって、女性の体ＢＯの各バストＢの立体を保持（保形）する。
【００６３】
図１５及び図１６において、カップ構造体Ｘは、一対（左右）のカップ構造部４０，４１で構成することもできる。
各カップ構造部４０，４１は、図１５に示すように、前中心身頃２５の中心にて二分割されて形成され、前中心身頃２５は、左右の中心身頃部４２，４３を有する。
【００６４】
一方（左側）のカップ構造部４０は、柔軟性及び伸縮性の素材でカップ体１、側方身頃２１、下方身頃２３及び中心身頃部４２に一体成形（一体形成）する。中心身頃部４２は、カップ体１の前中心側周縁６に沿ってカップ体１と一体にされる。
他方（右側）のカップ構造部４１は、柔軟性及び伸縮性の素材でカップ体２、側方身頃２２、下方身頃２４及び中心身頃部４３を一体成形（一体形成）する。中心身頃部４３は、カップ体２の前中心側周縁６に沿ってカップ体２と一体にされる。
【００６５】
カップ構造体Ｘは、図１６に示すように、各カップ構造部４０，４１の各中心身頃部４２，４３を隣接して（突き合わせて）、各中心身頃部４２，４３を相互に縫着（縫製）して一体にする。
これにより、カップ構造体Ｘは、各中心身頃部４２，４３を縫着（縫製）して一体した各カップ構造部４０，４１にて構成される。
【００６６】
本考案は、カップ構造体Ｘを用いた衣類としてブラジャーについて説明したが、ブラジャーに限定されず、ボディースーツ、ビスチエ、キャミソール、スリップ等の衣類にカップ構造体Ｘを用いても良い。
【産業上の利用可能性】
【００６７】
本考案は、女性のバストを立体に保持するのに最適である。
【符号の説明】
【００６８】
Ｘ  カップ構造体
Ｚ  人体モデル
ＢＰ  バスト輪郭（人体モデル）
ＢＯ  人体（女性の体）
ＢＬ  バスト輪郭（人体）
１  カップ体（左側）
２  カップ体（右側）
３  身頃体
５  カップ周縁
６  前中心側周縁
７  下部側周縁
８  腋側周縁
２１  側方身頃（左側）
２２  側方身頃（右側）
２３  下方身頃（左側）
２４  下方身頃（右側）
２５  前中心身頃
３１  前中心側カップ部
３２  下部側カップ部
３３  腋側カップ部
【図１】
0003224981.tif 000003
【図２】
0003224981.tif 000004
【図３】
0003224981.tif 000005
【図４】
0003224981.tif 000006
【図５】
0003224981.tif 000007
【図６】
0003224981.tif 000008
【図７】
0003224981.tif 000009
【図８】
0003224981.tif 000010
【図９】
0003224981.tif 000011
【図１０】
0003224981.tif 000012
【図１１】
0003224981.tif 000013
【図１２】
0003224981.tif 000014
【図１３】
0003224981.tif 000015
【図１４】
0003224981.tif 000016
【図１５】
0003224981.tif 000017
【図１６】
0003224981.tif 000018